(57)【要約】【課題】スイッチ装置に接点入出力を備え、接点信号状態の変化により短時間での切替を可能とするスイッチ装置を得る。【解決手段】ネットワーク１、２に接続されるスイッチ装置３、４は、現在の状態が運用状態か待機状態かにより、ネットワーク１、２との接続を制御するスイッチング処理部３０１、４０１と、スイッチ装置３、４の運用状態と待機状態との切替を行う切替処理部３０２、４０２と、運用状態で障害が発生した場合にオンオフの接点信号の出力を行う接点出力部３０３、４０３と、他装置の接点出力部からの接点信号の出力が入力される接点入力部３０４、４０４とを有し、切替処理部は、障害が検出されたとき、運用状態から待機状態への切替を行い、接点入力部への接点信号の入力により、待機状態から運用状態への切替を行う。【選択図】図１
2010171710.tif 000002
【特許請求の範囲】
【請求項１】
ネットワークに接続され、運用状態と待機状態とを切替えるように構成されたスイッチ装置であって、
上記運用状態で障害が発生した場合に専用線に接点信号を出力する接点信号出力部、
他装置の接点信号出力部から出力された接点信号が入力される接点信号入力部、
上記運用状態で障害が発生した場合に上記待機状態へ切替え、上記待機状態で上記接点信号入力部に接点信号が入力された場合に上記運用状態に切替える切替処理部を備えたことを特徴とするスイッチ装置。
【請求項２】
手動で上記切替を行うための手動切替部を備え、
上記手動切替部の操作に基づき、上記接点信号出力部から接点信号を出力することを特徴とする請求項１記載のスイッチ装置。
【請求項３】
上記接点信号入力部に接点信号を出力する遠隔制御装置を備えたことを特徴とする請求項１記載のスイッチ装置。
【請求項４】
上記接点信号出力部から出力された接点信号が入力され、外部条件が満足される場合に上記接点信号入力部に接点信号を出力する接点制御部を備えたことを特徴とする請求項１〜請求項３のいずれかに記載のスイッチ装置。
【請求項５】
上記接点制御部を制御する論理制御部を備えたことを特徴とする請求項４記載のスイッチ装置。
【発明の詳細な説明】
【技術分野】
【０００１】
この発明は、ネットワークシステム機器であって、運用側装置及び待機側装置として切替可能に構成されたスイッチ装置に関するものである。
【背景技術】
【０００２】
従来のスイッチ装置においては、例えば、特許文献１にあるように、スイッチ冗長化切替機能であるＶＲＲＰ（Ｖｉｒｔｕａｌ  Ｒｏｕｔｅｒ  Ｒｅｄｕｎｄａｎｃｙ  Ｐｒｏｔｏｃｏｌ）機能を用い、さらに自動ポート閉塞機能とＧｒａｔｕｉｔｏｕｓ  ＡＲＰ（Ａｄｄｒｅｓｓ  Ｒｅｓｏｌｕｔｉｏｎ  Ｐｒｏｔｏｃｏｌ）パケットの送信機能を追加することで、回線切り戻り時の一定時間の通信不能状態を解消している。
【先行技術文献】
【特許文献】
【０００３】
【特許文献１】特開２００６−３１０９０３号公報（第３〜５頁、図１１）
【発明の概要】
【発明が解決しようとする課題】
【０００４】
従来のスイッチ装置では、ＶＲＲＰ機能を用いており、一定時間周期で発信されるＶＲＲＰ広告が一定回数受信できなかった場合に冗長構成の切替を行うように構成されているので、ある程度の通信不能時間が経過しないと切替動作を行わないという問題があった。
また、ネットワークの通信遅延があった場合、問題なく通信できているにもかかわらず、通信不能時間を経過することで切替動作を行ってしまうなどの問題もあった。
【０００５】
この発明は、上記のような課題を解決するためになされたものであり、スイッチ装置に接点入出力を備え、接点信号状態の変化により短時間での切替を可能とするスイッチ装置を得ることを目的としている。
【課題を解決するための手段】
【０００６】
この発明に係わるスイッチ装置においては、ネットワークに接続され、運用状態と待機状態とを切替えるように構成されたスイッチ装置であって、
運用状態で障害が発生した場合に専用線に接点信号を出力する接点信号出力部、
他装置の接点信号出力部から出力された接点信号が入力される接点信号入力部、
運用状態で障害が発生した場合に待機状態へ切替え、待機状態で接点信号入力部に接点信号が入力された場合に運用状態に切替える切替処理部を備えたものである。
【発明の効果】
【０００７】
この発明は、以上説明したように、ネットワークに接続され、運用状態と待機状態とを切替えるように構成されたスイッチ装置であって、
運用状態で障害が発生した場合に専用線に接点信号を出力する接点信号出力部、
他装置の接点信号出力部から出力された接点信号が入力される接点信号入力部、
運用状態で障害が発生した場合に待機状態へ切替え、待機状態で接点信号入力部に接点信号が入力された場合に運用状態に切替える切替処理部を備えたので、接点信号の変化により高速に運用状態と待機状態の切替を行うことができる。
【図面の簡単な説明】
【０００８】
【図１】この発明の実施の形態１によるスイッチ装置を示す構成図である。
【図２】この発明の実施の形態１によるスイッチ装置の切替処理部の処理を示すフロー図である。
【図３】この発明の実施の形態２によるスイッチ装置を示す構成図である。
【図４】この発明の実施の形態３によるスイッチ装置を示す構成図である。
【図５】この発明の実施の形態４によるスイッチ装置を示す構成図である。
【図６】この発明の実施の形態５によるスイッチ装置を示す構成図である。
【発明を実施するための形態】
【０００９】
実施の形態１．
以下、この発明の実施の形態１を図に基づいて説明する。
図１は、この発明の実施の形態１によるスイッチ装置を示す構成図である。
図１において、ネットワーク１及びネットワーク２は、スイッチ装置３及びスイッチ装置４により接続されている。ネットワーク１とスイッチ装置３は、ルート１０１にて、ネットワーク１とスイッチ装置４は、ルート１０２にて、データの送受信が可能となっている。また、ネットワーク２とスイッチ装置３は、ルート２０１にて、ネットワーク２とスイッチ装置４は、ルート２０２にて、データの送受信が可能となっている。
【００１０】
スイッチ装置３は、運用状態か待機状態かによりネットワークの接続を制御するスイッチング処理部３０１と、スイッチ装置３の運用状態及び待機状態を切り替える切替処理部３０２と、スイッチ装置３が故障している場合に故障を通知するための接点出力（Ｏｎ／Ｏｆｆの接点信号を出力する）を行う接点出力部３０３（接点信号出力部）と、自装置が運用状態になるべきであることを認識するために、スイッチ装置４の接点出力を受信し、切替処理部３０２に通知するための接点入力部３０４（接点信号入力部）から構成される。
スイッチ装置４も同様に、スイッチング処理部４０１と、切替制御部４０２と、接点出力部４０３と、接点入力部４０４から構成される。
また、スイッチ装置３とスイッチ装置４の接点動作を相互に通知できるように、接点出力部３０３と接点入力部４０４は、接点ケーブル５０１（専用線）にて、接点出力部４０３と接点入力部３０４は、接点ケーブル５０２（専用線）にて接続されている。
【００１１】
図２は、この発明の実施の形態１によるスイッチ装置の切替処理部の処理を示すフロー図である。
図２において、判定７０１は、自装置が、運用状態となるべきか待機状態となるべきかを判断する処理、処理７０２は、運用状態に切り替えるための処理、判定７０３は、自装置が故障となっているかどうかを判定する処理、処理７０４は、接点出力を接点出力部３０３、４０３に通知するための処理、処理７０５は、自装置を待機状態に切り替えるための処理、判定７０６は、接点入力部３０４、４０４に接点入力されているかどうかを確認するための処理である。
【００１２】
次に、動作について説明する。
スイッチ装置３が運用状態、スイッチ装置４が待機状態の場合、ネットワーク１及びネットワーク２は、ルート１０１及びルート２０１を経由し、スイッチ装置３により接続されていることになる。
このとき、スイッチ装置３が故障した場合、スイッチ装置３のスイッチング処理部３０１が動作を停止し、切替処理部３０２に故障を通知する。切替処理部３０２からは接点出力部３０３に対し、接点出力するように指示が出される。そして、接点出力部３０３は、その指示を受け、接点出力を行う。この信号は、接点ケーブル５０１を通して、スイッチ装置４の接点入力部４０４に通知される。
【００１３】
スイッチ装置４では、接点入力部４０４は、接点入力されたことにより、自装置が運用状態となるよう切替制御部４０２に通知を行う。この通知により、切替制御部４０２は、運用状態に切替を行い、スイッチング処理部４０１を動作させる。この動作により、ネットワーク１及びネットワーク２は、ルート１０２及びルート２０２を経由し、スイッチ装置４によりネットワークが接続されるようになる。
【００１４】
次に、図２を用いて、切替処理部３０２、４０２の処理について説明する。
スイッチ装置３及びスイッチ装置４が起動した場合、判定７０１にて、運用及び待機のどちらの状態になるべきかを判断する。判定７０１の判断処理の結果、運用状態で動作すべきスイッチ装置は、処理７０２にて運用状態に、待機状態で動作すべきスイッチ装置は、処理７０５にて待機状態となる。
運用状態となったスイッチ装置については、故障するまでは運用状態で動作することになるが、故障が発生していないかどうかを判定７０３にて監視している。ひとたび判定７０３にて故障と判定されると、処理７０４にて接点出力部に接点出力を行うように通知を行い、処理７０５にて待機状態へと切り替わる。
【００１５】
一方、待機状態となったスイッチ装置については、接点入力部に接点入力があったかどうかを判定７０６にて監視している。ひとたび判定７０６にて接点入力を検出すると、処理７０２にて運用状態へと切り替わる。
【００１６】
実施の形態１によれば、スイッチ装置に、接点出力部と接点入力部を設けることにより、故障したことを瞬時に接点出力にて通知することができ、高速に運用状態と待機状態の切替を行うスイッチ装置を得ることができる。
【００１７】
実施の形態２．
図３は、この発明の実施の形態２によるスイッチ装置を示す構成図である。
図３において、１〜４、１０１、１０２、２０１、２０２、３０１〜３０４、４０１〜４０４、５０１、５０２は図１におけるものと同一のものである。図３では、スイッチ装置３、４にそれぞれ手動切替部３０５、４０５を設け、手動切替部３０５、４０５の出力を接点出力部３０３、４０３にそれぞれ入力させることで、運用状態と待機状態の切替を手動で行うようになっている。
【００１８】
実施の形態１では、接点出力部３０３、４０３からの接点出力により運用状態と待機状態の切替を行う場合について述べたが、実施の形態２は、図３に示すように、スイッチ装置３、４にそれぞれ手動切替部３０５、４０５を設け、接点出力部３０３、４０３と接続し、手動操作された場合に、接点出力部３０３、４０３から接点出力するようにした。
【００１９】
実施の形態２によれば、スイッチ装置に手動切替部を設けたことにより、手動で運用状態と待機状態の切替を行うことができる。すなわち、人為的に切替を発生させることができる。
【００２０】
実施の形態３．
図４は、この発明の実施の形態３によるスイッチ装置を示す構成図である。
図４において、１〜４、１０１、１０２、２０１、２０２、３０１〜３０４、４０１〜４０４、５０１、５０２は図１におけるものと同一のものである。図４では、遠隔制御装置５を設け、その出力を接点入力部３０４、４０４に入力させるようにしている。
【００２１】
実施の形態２では、スイッチ装置３、４に手動切替部３０５、４０５を設けることで、スイッチ装置自体で手動による運転制御を可能とする場合について述べたが、実施の形態３は、図４に示すように、遠隔制御装置５を設け、遠隔制御装置５からスイッチ装置３、４の接点入力部３０４、４０４に接点入力を行えるようにした。
【００２２】
実施の形態３によれば、遠隔制御装置を設け、スイッチ装置の接点入力部に接点入力を行えるようにしたので、遠方からのスイッチ装置の制御を可能とした装置を得ることができる。
【００２３】
実施の形態４．
図５は、この発明の実施の形態４によるスイッチ装置を示す構成図である。
図５において、１〜４、１０１、１０２、２０１、２０２、３０１〜３０４、４０１〜４０４、５０１、５０２は図１におけるものと同一のものである。図５では、外部制御装置６に接点制御部６０１を設け、これからスイッチ装置３、４の接点出力部３０３、４０３の接点出力を入力させるとともに、及びこの接点出力に基づき、接点入力部３０４、４０４への接点入力を行うようにしている。
【００２４】
実施の形態３では、遠隔制御装置５により遠方からのスイッチ装置の制御を可能とする場合について述べたが、実施の形態４は、図５に示すように、接点制御部６０１を備えた外部制御装置６を設け、スイッチ装置３、４の接点出力部３０３、４０３からの接点出力を外部制御装置６の接点制御部６０１に一旦入力することで、接点制御部６０１でさらに外部条件を付加し、これを元に処理した結果を、スイッチ装置３、４の接点入力部３０４、４０４に入力できるようにした。
外部条件としては、例えば、接点制御部６０１で接点状態の判定を行って、その結果により運用制御を行うようにするために、接点出力部３０３、４０３の接点出力を接点制御部６０１で判定処理を行い、その結果により接点入力部３０４、４０４に対して接点出力して、切替制御を行う。
【００２５】
実施の形態４によれば、外部制御装置に接点制御部を設けたので、外部条件を踏まえた運転制御を行えるスイッチ装置を得ることができる。
【００２６】
実施の形態５．
図６は、この発明の実施の形態５によるスイッチ装置を示す構成図である。
図６において、１〜４、６、１０１、１０２、２０１、２０２、３０１〜３０４、４０１〜４０４、５０１、５０２、６０１は図５におけるものと同一のものである。図６では、外部制御装置６にプログラムが可能な論理制御部６０２を設け、論理制御部６０２の出力を接点制御部６０１に入力している。
【００２７】
実施の形態４では、接点制御部６０１を備えた外部制御装置６により外部条件を踏まえた運転制御を行う場合について述べたが、実施の形態５は、図６に示すように、外部制御装置６にプログラムが可能な論理制御部６０２を設け、論理制御部６０２にて演算処理を行った結果で接点制御部６０１を制御できるようにした。すなわち、論理制御部６０２によりプログラムにより運用切替を制御する。
【００２８】
実施の形態５によれば、論理制御部にて演算処理を行った結果で接点制御部を制御するので、定期的な運転切替制御など論理処理に従った切替を行うことを可能としたスイッチ装置を得ることができる。
【００２９】
なお、上述の実施の形態１〜実施の形態５では、２台のスイッチ装置の場合について説明したが、３台以上の構成であってもよく、待機状態のスイッチ装置が増える形になり、この場合にも、上記実施の形態と同様の効果を得ることができる。
【符号の説明】
【００３０】
１、２  ネットワーク
３、４  スイッチ装置
６      外部制御装置
１０１、１０２、２０１、２０２  ルート
３０１、４０１  スイッチング処理部
３０２、４０２  切替処理部
３０３、４０３  接点出力部
３０４、４０４  接点入力部
３０５、４０５  手動切替部
５０１、５０２  接点ケーブル
６０１  接点制御部
６０２  論理制御部
【図１】
2010171710.tif 000003
【図２】
2010171710.tif 000004
【図３】
2010171710.tif 000005
【図４】
2010171710.tif 000006
【図５】
2010171710.tif 000007
【図６】
2010171710.tif 000008